(57)【特許請求の範囲】
【請求項１】
導電性及び低剛性を有する弾性部材からなるバイアスコイルスプリングと、
上記バイアスコイルスプリングにシリコンチューブを挿入し全体に高分子ポリマの溶液を塗布し乾燥させ、上記シリコンチューブを引き抜くことで該バイアスコイルスプリングを該高分子ポリマの皮膜で覆って蛇腹構造とした高分子ポリマからなりかつ外壁となるアウターチューブと、
このアウターチューブに挿入され固定された平板形状記憶合金アクチュエータと、
上記バイアスコイルスプリングの先端部と上記平板形状記憶合金アクチュエータの先端部とを電気的に接続しかつ固定する導電性スペーサと、
上記平板形状記憶合金アクチュエータとバイアスコイルスプリングとが互いに接触しないように所定の間隔で配置した複数の非導電性スペーサと、
上記平板形状記憶合金アクチュエータの基端部に接続される通電用導線とを有し、
上記平板形状記憶合金アクチュエータは、その軸方向にジグザグ形状を有していて軸方向及び横方向の剛性が低く、かつ、平板の厚み方向に湾曲するように形状記憶されて一方向曲げ機構を有しており、
上記バイアスコイルスプリングの基端部と上記通電用導線とに上記平板形状記憶合金アクチュエータを湾曲させるための電圧が印加され、該平板形状記憶合金アクチュエータを平板の厚み方向に湾曲させることを特徴とする、能動ガイドワイヤ。
【請求項２】
導電性及び低剛性を有する弾性部材からなるバイアスコイルスプリングと、
高分子ポリマからなり上記バイアスコイルスプリングを被覆しかつ外壁となるアウターチューブと、
このアウターチューブに挿入され固定された平板形状記憶合金アクチュエータと、
上記バイアスコイルスプリングの先端部と上記平板形状記憶合金アクチュエータの先端部とを電気的に接続しかつ固定する導電性スペーサと、
上記平板形状記憶合金アクチュエータとバイアスコイルスプリングとが互いに接触しないように所定の間隔で配置した複数の非導電性スペーサと、
上記平板形状記憶合金アクチュエータの基端部に接続される通電用導線とを有し、
上記平板形状記憶合金アクチュエータは、その軸方向にジグザグ形状を有していて軸方向及び横方向の剛性が低く、かつ、平板の厚み方向に湾曲するように形状記憶されて一方向曲げ機構を有しており、
上記バイアスコイルスプリングの基端部と上記通電用導線とに上記平板形状記憶合金アクチュエータを湾曲させるための電圧を印加することで、該平板形状記憶合金アクチュエータを平板の厚み方向に湾曲させる能動ガイドワイヤの製造方法であって、
平板形状記憶合金アクチュエータと導電性スペーサと非導電性スペーサと通電用導線とからアクチュエータ・スペーサ構造体を作製する第１の工程と、
バイアスコイルスプリングにシリコンチューブを挿入し全体に高分子ポリマの溶液を塗布し乾燥させ、上記シリコンチューブを引き抜くことで該バイアスコイルスプリングを該高分子ポリマの皮膜で覆って蛇腹構造のアウターチューブを作製する第２の工程と、
第１の工程で作製したアクチュエータ・スペーサ構造体を上記第２の工程で作製したアウターチューブに挿入して能動ガイドワイヤを作製する第３の工程とからなることを特徴とする、能動ガイドワイヤの製造方法。
【請求項３】
前記第１の工程は、前記平板形状記憶合金アクチュエータの先端部にパイプ状の導電性スペーサを嵌入し、中間部に所定の間隔をおいてパイプ状の非導電性スペーサを複数嵌入し、通電用導線を配した基端部に非導電性スペーサを嵌入し、上記先端部と基端部のスペーサの中空部には常温硬化型の導電性エポキシ樹脂を埋め込み、上記中間部のスペーサの中空部には常温硬化型の非導電性エポキシ樹脂を埋め込み、常温で硬化させることを特徴とする、請求項２に記載の能動ガイドワイヤの製造方法。
【請求項４】
前記第２の工程は、前記バイアスコイルスプリングにシリコンチューブを挿入し、液体高分子を塗布して乾燥し、この液体高分子のポリマで被覆されたシリコンチューブの端のポリマを除去し、シリコンチューブの端とポリマ被覆部分との間に力を加えてシリコンチューブを引き抜いて作製することを特徴とする、請求項２に記載の能動ガイドワイヤの製造方法。
【請求項５】
前記第３の工程は、前記第１の工程で作製したアクチュエータ・スペーサ構造体を前記第２の工程で作製したアウターチューブに挿入し、前記導電性スペーサとアウターチューブを常温硬化型の導電性エポキシ樹脂で前記アウターチューブに固定し、前記非導電性スペーサ部分のポリマを除去し、この露出した非導電性スペーサと前記バイアスコイルスプリングを常温硬化型の非導電性エポキシ樹脂で上記アウターチューブに固定し、このアクチュエータ・スペーサ構造体が固定されたアウターチューブ全面に液体高分子を塗布し、乾燥することを特徴とする、請求項２〜４のいずれかに記載の能動ガイドワイヤの製造方法。
【発明の詳細な説明】
【０００１】
【発明の属する技術分野】
この発明は、脳内血管等の複雑かつ細い血管に挿入して診断又は治療などに利用するカテーテルを目的の部位に導くための能動ガイドワイヤ及びその製造方法に関する。
【０００２】
【従来の技術】
従来から、血管内に挿入したカテーテルを目的の患部に導くために、ガイドワイヤをカテーテル内に挿入し、ガイドワイヤの先端を目的の方向に曲げることによってカテーテルの挿入方向の制御を行っている。
図１１はカテーテルの挿入方向の制御を模式的に示した図である。図に示すようにカテーテル１１１の先端自体に曲げ駆動機構を取り付けるのが理想的であるが、図１２に示したように、カテーテル１１１にガイドワイヤ１１２を挿入し、ガイドワイヤ１１２の先端に曲げ駆動機構を取り付けても同様の作用効果が得られる。ガイドワイヤ１１２の先端の曲げ駆動機構は、単純に一方向のみの曲げ機構であっても、図に示したように、ガイドワイヤの手元部分の捻り操作１１３と組み合わせることにより、任意の方向への挿入が可能となる。
脳血管などの複雑、かつ微細な管路に沿ってカテーテルを自由に導くためには、０．５ｍｍφ以下のガイドワイヤが必要であり、また、先端部を必要に応じて曲げたり真っ直ぐに復元したりできる能動的駆動機能が必要である。さらに、脳動脈瘤の血管壁や狭窄等の病変部の血管壁は極めて脆い場合があり、ガイドワイヤがこれらの病変部や血管壁を傷つけないように、ガイドワイヤの横剛性及び長さ方向の剛性は極めて小さくなければならない。
医療現場においては、病変脳血管などのような、複雑、微細、かつ脆い血管に沿ってカテーテルを自由に導くことが必要とされており、径が細く、かつ剛性の低い能動ガイドワイヤが実現できれば、既存の種々のカテーテルと組み合わせて用いることにより、大きな効果が期待できる。
【０００３】
従来の能動的駆動機構を有するガイドワイヤは、例えば、本発明者らによる特願平１０−３５５１７０号（特開２０００−２３３０２７号公報）に開示された構造のものがある。
この能動ガイドワイヤは、図１３に示すように、半径ｒのコイル状のバイアスコイルスプリング１３１とバイアスコイルスプリング１３１に固設したアクチュエータ１３２とからなっている。このアクチュエータ１３２は形状記憶合金ワイヤをコイル状にしてコイルの長さ方向に大きなストロークで伸縮するように形状記憶させたものであり、アクチュエータ１３２を通電加熱することにより、長さ方向に縮むようになっている。
この構成によれば、アクチュエータ１３２を通電加熱することによりアクチュエータ１３２が縮んで収縮力Ｆが発生し、曲げモーメントＭは、Ｍ＝Ｆ×ｒにより能動ガイドワイヤの先端が曲がる。通電を停止すると、バイアスコイルスプリング１３２の復元力により能動ガイドワイヤの先端が直線形状に復元する。
【０００４】
【発明が解決しようとする課題】
しかしながら、この構成で径（＝２ｒ）の小さい能動ガイドワイヤを形成すると、バイアスコイルスプリング１３１の半径ｒが小さくなるので曲げモーメントＭが小さくなり、能動ガイドワイヤの先端を十分に曲げることができなくなる。
能動ガイドワイヤの先端を十分に曲げるために必要なＭを保つためには、アクチュエータ１３２の収縮力Ｆを大きくしなければならず、Ｆを大きくするには形状記憶合金からなるコイル状ワイヤ１３２の線径を太くする必要があり、線径を太くすると、横方向及び長さ方向の剛性が大きくなる。
また、この構成では、アクチュエータ１３２がバイアスコイルスプリング１３１の軸方向に収縮するため、アクチュエータ１３２の収縮によって能動ガイドワイヤ全体が収縮したり座屈したりしないように、バイアスコイルスプリング１３１は軸方向に一定値以上の剛性を有する必要がある。
このようにこの構成では、脳内血管等の複雑でかつ細い血管に挿入して診断又は治療などに利用するカテーテルを目的の部位に導くための能動ガイドワイヤに必要な、能動ガイドワイヤの径及び病変血管壁を傷つけない剛性を実現することは困難である。
【０００５】
また、能動ガイドワイヤの他の例には、本発明者らによる特願２０００−０９２２０９号明細書に開示された構成のものがある。この能動ガイドワイヤは、上記の特開２０００−２３３０２７号公報に開示された構成と比べると、長手方向にジグザグ形状を有する板状の形状記憶合金からなるアクチュエータを使用する点が異なる。このアクチュエータは通電加熱することにより長手方向に大きなストロークで縮むように形状記憶されている。
しかしながらこの構成では、上記の特開２０００−２３３０２７号公報記載の技術の場合と同様に、径を細くすると、アクチュエータの剛性が大きくならざるをえず、また、バイアスコイルスプリングの軸方向の剛性は一定値以上が必要であるため、脳内血管等の複雑かつ細い血管に挿入して診断又は治療などに利用するカテーテルを目的の部位に導くための能動ガイドワイヤに必要な能動ガイドワイヤの径及び病変血管壁を傷つけない剛性を実現することは困難である。
このように、従来の能動ガイドワイヤは、大動脈、腎動脈といった比較的血管が太く、血管壁が比較的厚い部位に用いれば極めて有用であるが、脳血管、病変血管に用いた場合には、血管壁を傷つける恐れがある。
【０００６】
上記課題に鑑み本発明は、脳内血管等の複雑かつ細い血管に挿入して診断又は治療などに利用するカテーテルを目的の部位に導くために必要な能動ガイドワイヤの径、及び病変血管壁を傷つけない剛性を有する能動ガイドワイヤを提供することを目的とする。また、その製造方法を提供することを目的とする。
【０００７】
【課題を解決するための手段】
上記目的を達成するために、本発明の能動ガイドワイヤは、導電性及び低剛性を有する弾性部材からなるバイアスコイルスプリングと、高分子ポリマの溶液をバイアスコイルスプリングに塗布し乾燥することでバイアスコイルスプリングを高分子ポリマの皮膜で覆って蛇腹構造とした高分子ポリマからなりかつ外壁となるアウターチューブと、このアウターチューブに挿入され固定された平板形状記憶合金アクチュエータと、バイアスコイルスプリングの先端部と平板形状記憶合金アクチュエータの先端部とを電気的に接続しかつ固定する導電性スペーサと、平板形状記憶合金アクチュエータとバイアスコイルスプリングとが互いに接触しないように所定の間隔で配置した複数の非導電性スペーサと、平板形状記憶合金アクチュエータの基端部に接続される通電用導線とを有し、平板形状記憶合金アクチュエータは、その軸方向にジグザグ形状を有していて軸方向及び横方向の剛性が低く、かつ、この軸の垂直方向に湾曲するように形状記憶されて一方向曲げ機構を有しており、バイアスコイルスプリングの基端部と通電用導線とに平板形状記憶合金アクチュエータを湾曲させるための電圧が印加され、平板形状記憶合金アクチュエータを平板の厚み方向に湾曲させることを特徴とする。
【０００８】
これらの構成によれば、通電用導線とバイアスコイルスプリングの基端部に電圧を印加することによって、バイアスコイルスプリングと導電性スペーサとを介してアクチュエータに電流が流れ、アクチュエータが通電加熱されて形状記憶合金の変態点温度に達して湾曲し、能動ガイドワイヤが湾曲する。電圧を非印加にすれば、アクチュエータの温度が形状記憶合金の変態点温度未満に下がり、アクチュエータは湾曲力を失い、能動ガイドワイヤはバイアスコイルスプリングの復元力によってもとの直線形状に復帰する。
平板形状記憶合金アクチュエータが、平板の厚み方向に湾曲するように形状記憶されているので、アクチュエータの軸に垂直方向に、かつ平板全面にわたって湾曲力が発生するので、バイアスコイルスプリングの径の大きさによらずに能動ガイドワイヤを湾曲させることができる。従って、バイアスコイルスプリングの径が０．５ｍｍφ以下であっても、平板形状記憶合金の厚みを増加させること無しに、能動ガイドワイヤを湾曲させることができるので、アクチュエータの剛性を低くできる。さらに、平板形状記憶合金アクチュエータが、アクチュエータの長手方向にジグザグの形状を有しているので横方向及び長手方向の剛性が極めて低い。
さらに、平板形状記憶合金アクチュエータは平板の厚み方向に湾曲するので、バイアスコイルスプリングの軸方向に収縮することがないため、能動ガイドワイヤ全体が収縮したり座屈したりすることがなく、バイアスコイルスプリングの剛性も低くできる。
これらの効果により、能動ガイドワイヤの径を細くでき、かつ、横方向及び長手方向の剛性を低くすることができ、脆い血管壁に衝突しても血管壁を傷つけることがない。
また、バイアスコイルスプリングは導電性の弾性部材で構成されるから、電流を流すことができると共に、所定のコイル径、所定の剛性を有するバイアスコイルスプリングを作製できる。例えば、ステンレス細線を用いれば、脳血管に用いることができる微細径、低剛性のバイアスコイルスプリングを作製することができる。
また、アウターチューブは、例えばポリウレタンからなるポリマ被覆チューブであるから、生体適合性が良く、人体の血管に用いることができる。
さらに、アクチュエータとバイアスコイルスプリングとは、先端部が電気的に接続され、中間部及び基端部が電気的に絶縁されているので、アクチュエータとバイアスコイルスプリングとが直列回路を形成し、電気回路を構成するための複雑な部材を必要とせずにアクチュエータを通電加熱することができる。
【０００９】
本発明の上記構成の能動ガイドワイヤの製造方法は、平板形状記憶合金アクチュエータと導電性スペーサと非導電性スペーサと通電用導線電用導線とからアクチュエータ・スペーサ構造体を作製する第１の工程と、バイアスコイルスプリングと高分子ポリマとなる液体高分子とからアウターチューブを作製する第２の工程と、第１の工程で作製したアクチュエータ・スペーサ構造体を第２の工程で作製したアウターチューブに挿入して能動ガイドワイヤを作製する第３の工程とからなることを特徴とする。
前記構成において、好ましくは、第１の工程では、平板形状記憶合金アクチュエータの先端部にパイプ状の導電性スペーサを嵌入し、中間部に所定の間隔をおいてパイプ状の非導電性スペーサを複数嵌入し、基端部には通電用導線を含んで非導電性スペーサを嵌入し、先端部と基端部のスペーサの中空部には常温硬化型の導電性エポキシ樹脂を埋め込み、中間部のスペーサの中空部には常温硬化型の非導電性エポキシ樹脂を埋め込み、常温で硬化させる。この構成によれば、アクチュエータを電気的かつ機械的に、容易にアウターチューブに結合することができる。
【００１０】
また、第２の工程は、好ましくは、バイアスコイルスプリングにシリコンチューブを挿入し、液体高分子、例えばポリウレタンを塗布し、乾燥し、ポリウレタンポリマで被覆されたシリコンチューブの端のポリマを除去し、シリコンチューブの端とポリマ被覆部分との間に力を加えてシリコンチューブを引き抜いて作製する。この構成によれば、バイアスコイルスプリングが均一かつ適切な厚みのポリマで被覆された、蛇腹状のアウターチューブが作製できる。
【００１１】
また、第３の工程は、好ましくは、第１の工程で作製したアクチュエータ・スペーサ構造体を第２の工程で作製したアウターチューブに挿入し、導電性スペーサとアウターチューブを常温硬化型の導電性エポキシ樹脂でアウターチューブに固定し、非導電性スペーサ部分のポリマを除去し、露出した非導電性スペーサとバイアスコイルスプリングを常温硬化型の非導電性エポキシ樹脂でアウターチューブに固定し、アクチュエータ・スペーサ構造体の固定されたアウターチューブの全面に液体高分子、例えばポリウレタンを塗布し、乾燥する。
この構成によれば、アクチュエータ・スペーサ構造体とアウターチューブとを容易に、かつ正確に組み立てることができる。また、アウターチューブの全面に液体高分子を塗布するので、平滑なアウターチューブ表面が得られると共に電気的絶縁性が完全になる。
また、上記の製造方法によれば、形状記憶合金の変態点温度未満で製造できるから、アクチュエータが製造中に湾曲すると言ったことが生じず、従って、極めて微細な構造を有する能動ガイドワイヤを信頼性良く、また低コストで製造することが可能になる。
【００１２】
【発明の実施の形態】
本発明者らは、ＮｉＴｉ合金からなる形状記憶合金（ＳＭＡ）シート（０．０３５ｍｍ厚）から作製した平板形状記憶合金アクチュエータ（曲げアクチュエータ、ＳＭＡアクチュエータと称する。）と、ポリウレタンをバイアスコイルスプリングに被覆してなる蛇腹状のアウターチューブとを組み合わせて、シンプルな１方向曲げ機構を有する外径が約０．５ｍｍφの能動ガイドワイヤを創作した。
【００１３】
実施例を例にとって本発明の実施の形態を説明する。
図１は本発明の能動ガイドワイヤの構成と動作を示す一部透過図である。
図１（ａ）は能動ガイドワイヤ１の構成及び非駆動状態を示し、図１（ｂ）は先端を曲げた駆動状態を示す。
能動ガイドワイヤ１は、ポリウレタン２を導電性のバイアスコイルスプリング３に被覆してなる蛇腹状のアウターチューブ４に、ＳＭＡアクチュエータ５がガラスパイプ６（非導電性スペーサ）を介して固定され、アクチュエータ５の先端部が真鍮パイプ７（導電性スペーサ）を介してバイアスコイルスプリング３に固定され、かつＳＭＡアクチュエータ５の基端部８が通電用導体９に接続されており、バイアスコイルスプリング３と通電用導体９を通じてＳＭＡアクチュエータ５を直接通電加熱することが出来るようになっている。
そして、通電加熱（例えば７５℃に加熱）によりＳＭＡアクチュエータ５が曲がって能動ガイドワイヤ１の先端が図１（ｂ）のように曲がり、通電を切るとバイアスコイルスプリング３のバイアス力により能動ガイドワイヤ１の先端が図１（ａ）のように元の状態に戻る。即ち、この能動ガイドワイヤ１は、１方向曲げ機構を有している。
【００１４】
次に、ＳＭＡアクチュエータについて説明する。
図２はＳＭＡアクチュエータの作製プロセスフローを示す図である。
図２（ａ）に示すように、３５μｍ厚のＳＭＡシート２１に熱処理によりφ２．５ｍｍのロール形状を記憶させた。次に、図２（ｂ）に示すように、このＳＭＡシート２１を常温で平板状に引き延ばし、フォトリソグラフィと電解エッチングにより加工する。ロール形状への変形を防ぐために、以後の工程はＳＭＡの変態点温度（約７０℃）以下の低温工程で行う。
図２（ｃ）及び図３に拡大して示したように、ＳＭＡシート２１の裏面に中間層としてそれぞれ０．１μｍのＮｉ層２２及びＣｕ層２３からなるＣｕ／Ｎｉスパッタ積層膜２４を形成し、さらにその上に導電ダミー層として１０μｍより厚いＣｕメッキ層２５を常温で形成した。Ｃｕメッキ層２５の密着性はＮｉメッキ層（成膜温度４５℃）に劣るが、Ｃｕ／Ｎｉスパッタ積層膜２４を中間層として用いているので、十分な密着強度を得ることができる。
【００１５】
次に、ＳＭＡシート２１上にフォトリソグラフィを行う。
図４はフォトリソグラフィの工程フローを示す図である。図４に示したように、ＳＭＡシート２１の表面にレジスト（東京応化（株）のＯＭＲ８３）を約１．５μｍ厚で塗布した後、２５℃で１２時間の乾燥を行い、ＳＭＡアクチュエータの形状を有するマスクを使用して紫外線露光し、現像、洗浄して図２（ｄ）に示した形状のＳＭＡアクチュエータのレジストパターン２６を形成する。その後、１００ｍＷ／ｃｍ2 ，１５分間の紫外線硬化を行い、さらに２５℃で１２時間の乾燥を行う。
【００１６】
次に、レジストパターン２６をマスクにして全体を硫酸・メタノール電解液中に浸漬して、ＳＭＡシート２１を貫通してＣｕメッキ層２５に達するまで片面から電解エッチングを行う。常温で形成されたレジストパターン２６は、完全には重合していないと思われるが、電解エッチングに対しては十分な耐性を有している。
【００１７】
次に、図２（ｅ）に示したように、全体を濃硝酸に浸漬して、Ｃｕメッキ層２５，Ｃｕ／Ｎｉスパッタ積層膜２４及びレジストパターン２６を除去する。最後に、ＳＭＡシート２１のエッチングパターン脱落防止枝を切り離し、図２（ｆ）に示したようにＳＭＡアクチュエータ５を取り出す。
【００１８】
作製したＳＭＡアクチュエータ５を、図５（ａ）の全体図と、図５（ｂ）の要部拡大図に示す。
ＳＭＡアクチュエータ５は、血管壁に能動ガイドワイヤーが接触したときに血管壁を傷つけないように、図５に示すようなジグザグ形状のパターンにして長手方向（ｚ）の圧縮や横方向（ｘ）の曲げに対する剛性を極力小さくしている。このジグザグ形状は、周期が３４０μｍ、振幅が６０μｍのサインカーブを成している。
【００１９】
次に、アウターチューブ４の作製方法を説明する。
図６は、本発明のアウターチューブ作製工程を示す図である。
アウターチューブ４は、図６（ａ）に示したように、例えばコイル外径０．４６ｍｍ、素線径０．０５ｍｍのステンレススチールのコイル３に、図５（ｂ）に示したように、コアとなるシリコンチューブ６１を挿入し、図６（ｃ）に示したように、全体に液状のポリウレタン２を塗布し、図６（ｄ）に示したように、ポリウレタン２を乾燥し、その両端をカットした後、図６（ｅ）に示したように、シリコンチューブ６１を引き抜いて、コイル３がポリウレタン被膜２で覆われた蛇腹構造のチューブを形成する。なお、アウターチューブ４の構造を図７に拡大して示す。
【００２０】
次に、能動ガイドワイヤ１の組み立て製造工程を説明する。
図８は、本発明の能動ガイドワイヤの組み立て手順を示す部分透過図である。
図８（ａ）に示したように、ＳＭＡアクチュエータ５の先端部を真鍮パイプ７に挿入し、常温硬化型の導電性エポキシ樹脂８１を真鍮パイプ７に埋め込んでアクチュエータ５の先端部と真鍮パイプ７を電気的に接続しかつ固定する。
次に、ガラスパイプ６，６をＳＭＡアクチュエータ５に嵌入し、中間部８２，８２に配置して、常温硬化型絶縁性エポキシ樹脂８３をガラスパイプ６，６に埋め込んでＳＭＡアクチュエータ５の中間部８２，８２とガラスパイプ６，６とを固定する。
続いて、ガラスパイプ６をＳＭＡアクチュエータ５に嵌入し、基端部８に配置すると共に、φ０．０７ｍｍエナメル線からなる通電用導線９をガラスパイプ６に挿入し、常温硬化型の導電性エポキシ樹脂８１をガラスパイプ６に埋め込んでＳＭＡアクチュエータ５の基端部８と通電用導体９とを電気的に接続しかつ固定し、基端部８とガラスパイプ６とを固定する。
そして、図８（ｂ）に示したように、上記のスペーサ及び通電用導線を固定したアクチュエータ５をアウターチューブ４に挿入する。
【００２１】
その後、図８（ｃ）に示したように、ガラスパイプ６，６，６上のポリウレタン被膜を電熱線８４により溶融除去して窓部８５，８５，８５を形成する。そして、図８（ｄ）に示したように、窓部８５，８５，８５に常温硬化型絶縁性エポキシ樹脂８３を埋め込んでバイアスコイルスプリング３とガラスパイプ６，６を固定し、先端の真鍮パイプ７は常温硬化型の導電性エポキシ樹脂８１でバイアスコイルスプリング３に固定し、かつ電気的に接続する。
最後に、図８（ｅ）に示したようにポリウレタン溶液２を全面に塗布してアウターチューブ４の表面を平滑化すると共に、バイアスコイルスプリング３を完全に被覆して絶縁性を確保する。
【００２２】
次に、上記工程で作製した能動ガイドワイヤの特性を示す。
図９は、本発明の能動ガイドワイヤの３７℃の水中における曲げ駆動の様子を示す図である。駆動電流は１２０ｍＡである。
図１０は、２５℃の大気中及び３７℃の水中での通電量と曲げ角度の関係を示す図である。図において縦軸は能動ガイドワイヤ先端の曲がり角度を示し、横軸は印加した電流を示し、□は空気中で通電した場合、■は空気中で非通電にした場合、△は水中で通電した場合、及び▲は水中で非通電にした場合の曲がり角を示す。
図から明らかなように、能動ガイドワイヤ１の先端部は、大気中駆動では通電量５０ｍＡ程度で６０°以上まで曲がった。水中駆動では、水の冷却効果のために大気中駆動に比べ大きな通電量が必要であったが、通電量を増加することにより６０°まで曲げることが可能であった。
また、空気中及び水中のいずれの場合にも、非通電によってほぼ元の状態に復元することがわかる。
【００２３】
また、素線径φ０．０２５μｍの銅コンスタンタン熱電対を能動ガイドワイヤ６に貼り付けてその表面温度を測定したところ、大気中では通電量５０ｍＡで８０℃近くまで温度が上昇したのに対して、水中では水の冷却効果のため４２℃であった。したがって、血管内では血流による同様の冷却効果が期待され、人体内での能動ガイドワイヤ１の使用は十分可能であることが分かった。
また本発明の能動ガイドワイヤは、外力に対して非常に強いことが分かった。例えば、外力を加えて６０度以上の曲げを多数回加えても特性が変化することがなかった。このことは、本発明の平板形状記憶合金アクチュエータは平板の厚み方向に湾曲するので、バイアスコイルスプリングの軸方向に収縮することがなく、バイアスコイルスプリングが座屈することがないためと考えられる。
【００２４】
【発明の効果】
上記説明から理解されるように、本発明によれば、脳血管等の複雑でかつ細い血管に挿入して診断又は治療などに利用するカテーテルを目的の部位に導くために必要な、能動ガイドワイヤの径及び病変血管壁を傷つけない剛性を有する能動ガイドワイヤを提供することができる。
病変脳血管などのような、複雑、微細、かつ脆い血管に沿ってカテーテルを自由に導くことが必要とされる医療現場において、既存の種々のカテーテルと組み合わせて用いることにより、大きな効果が期待できる。
【図面の簡単な説明】
【図１】本発明の能動ガイドワイヤの構成と動作を示す一部透視図で、（ａ）は能動ガイドワイヤの構成及び非駆動状態を、（ｂ）は先端を曲げた駆動状態を示す。
【図２】ＳＭＡアクチュエータの作製プロセスフローを示す図である。
【図３】ＳＭＡシート裏面の中間層とＣｕメッキ層の拡大図である。
【図４】フォトリソグラフィの工程フローを示す図である。
【図５】作製したＳＭＡアクチュエータの形状を示す図であり、（ａ）は全体を示し、（ｂ）は要部を拡大して示す図である。
【図６】本発明のアウターチューブの製造方法の各工程を示す図である。
【図７】アウターチューブの構造を拡大して示す図である。
【図８】本発明の能動ガイドワイヤの組み立て手順を示す部分透視図である。
【図９】本発明の能動ガイドワイヤの３７℃の水中における曲げ駆動の様子を示す図である。
【図１０】本発明の能動ガイドワイヤの２５℃の大気中及び３７℃の水中での通電量と曲げ角度の関係を示す図である。
【図１１】従来の能動カテーテルの使用方法を示す概略図である。
【図１２】従来の他の能動ガイドワイヤの使用方法を示す概略図である。
【図１３】従来の能動ガイドワイヤの作用を示す図である。
【符号の説明】
１    能動ガイドワイヤ
２    ポリウレタン
３    バイアスコイルスプリング
４    アウターチューブ
５    ＳＭＡアクチュエータ
６    ガラスパイプ
７    真鍮パイプ
８    ＳＭＡアクチュエータの基端部
９    通電用導体
２１  ＳＭＡシート
２２  Ｎｉ層
２３  Ｃｕ層
２４  Ｃｕ／Ｎｉスパッタ積層膜
２５  Ｃｕメッキ層
２６  レジストパターン
６１  シリコンチューブ
８１  常温硬化型導電性エポキシ樹脂
８２  中間部
８３  常温硬化型絶縁性エポキシ樹脂
８４  電熱線
８５  窓部
【図１】
0004403571.tif 000002
【図２】
0004403571.tif 000003
【図３】
0004403571.tif 000004
【図４】
0004403571.tif 000005
【図５】
0004403571.tif 000006
【図６】
0004403571.tif 000007
【図７】
0004403571.tif 000008
【図８】
0004403571.tif 000009
【図９】
0004403571.tif 000010
【図１０】
0004403571.tif 000011
【図１１】
0004403571.tif 000012
【図１２】
0004403571.tif 000013
【図１３】
0004403571.tif 000014